(57)【要約】【課題】    雪を無駄なく利用し短時間に容易に低コストにかまくらを構築するための構築具、及びそれを用いかまくらを構築する方法を提供する。【解決手段】    組立てると、かまら周壁部２０の一部分を構築する型枠となり、また、かまくらドーム屋根部２１の材料の雪ブロック２２を製作する型枠ともなるかまくら構築具１１。かまくら構築具１１に雪を投入し押圧後かまくら構築具１１を分解する、この一連の工程を繰り返しかまくら周壁部２０を構築する工程、及びかまくら構築具１１に雪を投入し押圧し得られる雪ブロック２２を切出し成形し、アーチ状に積み上げることでかまくらドーム屋根部２１を構築する、かまくら構築方法を特徴とする。【選択図】図１
2008025321.tif 000002
【特許請求の範囲】
【請求項１】
組立てると、かまら周壁部の一部分を構築する型枠となり、また、かまくらドーム屋根部の材料の雪ブロックを製作する型枠ともなる内周型板と外周型板その両者を並列に結合する連結棒、蝶ナット及び雪止板で構成され組立、分解が容易なことを特徴とするかまくら構築具。
【請求項２】
請求項１のかまくら構築具を用い、組立てたかまくら構築具に雪を投入し押圧後、かまくら構築具を分解し形成されたかまくら周壁部の一部分に連設する位置に組立てたかまくら構築具を置き、雪を投入し押圧しかまくら構築具を分解する一連の工程を繰り返し、かまくら周壁部が希望する高さに達するまで重層し構築する工程、及びかまくら周壁部の上に、組立てたかまくら構築具に雪を投入し押圧しかまくら構築具を分解して得られる雪ブロックを切出し成形し、かまくら出入口の反対方向に少し傾斜した角度で、雪ブロックをアーチ状にかまくらドーム屋根部の半球になるようにアーチの半径の大きさを段階的に変えて積むことで、かまくらドーム屋根部を構築する工程を特徴とするかまくら構築方法。
【発明の詳細な説明】
【技術分野】
【０００１】  本発明は、かまくら構築具及びかまくら構築方法に関する。
【背景技術】
【０００２】  従来のかまくら構築方法は雪を固めながら積み上げ内部をくり抜く伝統的構築方法、また型枠を用い雪（氷）ブロックを作りそれを積み上げる構築方法や内型枠を用いその周囲に雪を載せ固めながら積み上げる構築方法がある。【０００３】  なお、本願発明に関連する公知技術として次の特許文献１、２、３を挙げることができる。【０００４】
【特許文献１】  特開２００２−１４６９１２号公報
【特許文献２】  特開２００２−１５５６３７号公報
【特許文献３】  特開平１０−１８４０４４号公報
【発明の開示】
【発明が解決しようとする課題】
【０００５】  上述のように、伝統的方法によるかまくら構築方法は後にくり抜くことになる雪も集め固めなければならないので、大量の雪と多くの労力を必要とする。また、型枠を用いる従来のかまくら構築方法は型枠の取り扱いの難しさや型枠のコストが課題である。【０００６】  本発明は、このような点に鑑みてなされたものであり、その目的は、少ない労力で短時間にかまくらが構築され、型枠の取り扱いが容易でコストが低く抑えられるかまくら構築具、及びそれを用いたかまくら構築方法を提供することである。
【課題を解決するための手段】
【０００７】  組立てると、かまら周壁部の一部分を構築する型枠となり、またかまくらドーム屋根部の材料の雪ブロックを製作する型枠ともなるかまくら構築具。内周型板と外周型板、その両者を並列に結合する連結棒、蝶ナット及び雪止板で構成され、組立、分解が容易なことを特徴とするかまくら構築具。【０００８】  かまくら構築具を組立て、その中に雪を投入し押圧後、かまくら構築具を分解し、形成されたかまくら周壁部の一部分に連設する位置に組立てたかまくら構築具を置き、雪を投入し押圧しかまくら構築具を分解する一連の工程を繰り返し、かまくら周壁部が希望する高さに達するまで重層し構築する工程、及びかまくら周壁部の上に、組立てたかまくら構築具に雪を投入し押圧しかまくら構築具を分解して得られる雪ブロックを切出し成形し、かまくら出入口の反対方向に少し傾斜した角度で、その雪ブロックをアーチ状にかまくらドーム屋根部の半球になるようにアーチの半径の大きさを段階的に変えて積むことで、かまくらドーム屋根部を構築する工程を特徴とするかまくら構築方法。
【発明の効果】
【０００９】  以上説明したように本発明によれば、かまくら構築具は内周型板と外周型板、連結棒と蝶ナット及び雪止板で構成されているため、簡易な構造で軽量、組立分解が容易であり取り扱いが容易で、嵩張らず、持ち運びに優れ、安価である。また、このかまくら構築具を用いたかまくら構築方法は、雪を無駄なく利用し無理な姿勢を排し効率的であるので作業性に優れ、一人の作業者単独でも比較的短時間にかまくらを構築することができる。【００１０】  これらのことから雪まつり等のイベントでの利用にとどまらず、屋外教育活動や一般家庭でのかまくら遊び、また構築されたあとは冬期の貯蔵庫として使うなど、雪という天然資源の有効利用の１つとしてひろくかまくらを用いることができる。
【発明を実施するための最良の形態】
【００１１】  以下、本発明の実施の形態を図面に基づき詳細に説明する。【００１２】  図１〜図１４は本発明の１つの実施の形態に係るかまくら構築具及びかまくら構築方法の斜視図である。図１、図２はかまくら構築具の斜視図、図３〜図５はかまくら構築具を構成する部品の斜視図である。【００１３】  図１、図２、図３に示すように、かまくら構築具１１の部品である内周型板１２と外周型板１３は連結孔１７、１７′があり、その位置は左右上と左右中である。また、内周型板１２と外周型板１３は横方向に湾曲しており連結棒１４によって組立てられると、それぞれの円弧の中心点は同一となる。【００１４】  図４に示すように連結棒１４は、左右両端が細くオネジがあり蝶ナット１５と組み合う。連結棒１４のオネジを除く部分の長さは、かまくら周壁部２０の厚みに等しい。【００１５】  内周型板１２の弧の長さをＬ１、外周型板１３の弧の長さをＬ２、連結棒１４のネジ部以外の長さをＬ３、内周型板１２の弧の半径をＲ、その中心角をθとすると、Ｌ１＝Ｒθ、Ｌ２＝（Ｌ３＋Ｒ）θであらわされる。【００１６】  図５に示すように雪止板１６には、着脱用のハンドル１８と連結棒１４に内側から引っかけるためのフック１９がある。雪止板１６の縦寸法は内周型板１２と外周型板１３の縦寸法に等しく、横寸法は連結棒１４のネジ部以外の長さにやや短い。【００１７】  図６〜図１４はかまくら構築具１１を用いたかまくら構築方法の斜視図である。また、図６〜図１０はかまくら周壁部２０の構築方法の斜視図であり、図１１〜図１４はかまくらドーム屋根部２１の構築方法の斜視図である。【００１８】  以下、かまくら構築具１１を用いたかまくら構築方法を説明する。まず、図５に示すように組立てたかまくら構築具１１を、かまくら周壁部２０を構築しようとする底面に置き１０ｃｍ程雪に差し込む。かまくら構築具１１に雪を投入し押圧し、かまくら構築具１１を分解すると、かまくら周壁部２０の一部分ができる。【００１９】  次に、図６に示すようにかまくら周壁部２０の一部分に連設する位置に、組立てたかまくら構築具１１を置き１０ｃｍ程雪に差し込む、この時かまくら周壁部２０に接する側の雪止板１６は取り付けない。再びかまくら構築具１１に雪を投入し押圧し、かまくら構築具１１を分解すると、かまくら周壁部２０の一部分が２倍に伸長する。この一連の構築工程を繰り返すことで、図８に示すようにかまくら周壁部２０（一段目）が構築される。【００２０】  図９に示すように、かまくら周壁部２０（一段目）の高さが希望する高さに達しない場合は、かまくら周壁部２０（一段目）に組立てたかまくら構築具１１を載せ、一連のかまくら構築工程を繰り返し、雪を重層することで、図１０に示すようにかまくら周壁部２０を希望する高さに完成させる。【００２１】  図１１に示すように、組立てたかまくら構築具１１に雪を投入し押圧し、かまくら構築具１１を分解して得られる雪ブロック２２をかまくら周壁部２０の出入口の反対側に載せる。図１２に示すように、かまくら構築具１１を用いて作る雪ブロック２２を成形しアーチ状に積み上げる。【００２２】  図１３に示すようにかまくら出入口の反対方向に少し傾けて、かまくらドーム屋根部２１の半球に合うようにアーチの半径を段階的に大きくし、かまくら構築具１１を用いて作る雪ブロック２２を成形しアーチ状に積み上げる。【００２３】  図１４に示すようにかまくらドーム屋根部２１の半球に合うようにアーチの半径を段階的に小さくし、かまくら構築具１１を用いて作る雪ブロック２２を成形しアーチ状に積み上げる。【００２４】  最後に、雪ブロック２２の凹凸を滑らかにし完成させる。なお、雪ブロック２２の積み上げの際にできる隙間や連結棒１４によってできる穴には、適時雪を詰めることが必要である。
【実施例】
【００２５】  以下の大きさのかまくらを構築しようとするとき、（かまくらの高さ１．９ｍ、内部の最大高さ１．６ｍ、内周壁の半径７５０ｍｍ、外周壁の半径１０５０ｍｍ、周壁部厚み３００ｍｍ）必要とされるかまくら構築具１１の寸法の一例は、縦寸法９５０ｍｍ、内周型板１２の弧の長さ８９０ｍｍ、外周型板１３の弧の長さ１２００ｍｍ、連結棒１４のネジ部以外の長さは３００ｍｍ、雪止板１６の縦寸法９５０ｍｍ、横寸法２９０ｍｍである。【００２６】  以上、本発明の実施の形態及び実施例を説明したが、本発明の範囲はこれに限定されるものではない。例えば、連結棒１４は、オネジと蝶ナット１５で組合い着脱されているが、孔とピン又は孔とプランジャを用いるなど、状況に応じて適宜選択されるものである。
【産業上の利用可能性】
【００２７】  本発明は教育機器及びアウトドア用品を製造、販売する産業分野で利用することができる。
【図面の簡単な説明】
【００２８】
【図１】  本発明の１つの実施の形態に係るかまくら構築具の組立てた状態の斜視図である。
【図２】  同じくかまくら構築具の分解した状態の斜視図である。
【図３】  かまくら構築具を構成する部品である内周型板と外周型板の斜視図である。
【図４】  同じく連結棒と蝶ナットの斜視図である。
【図５】  同じく雪止板の斜視図である。
【図６】  本発明の１つの実施の形態に係る図１のかまくら構築具を用いたかまくら構築方法の始めの工程の斜視図である。
【図７】  同じくかまくら構築方法の次の工程の斜視図である。
【図８】  かまくら周壁部（一段目）ができた状態の斜視図である。
【図９】  かまくら周壁部（二段目）を構築する始めの工程の斜視図である。
【図１０】  かまくら周壁部（二段目）ができた状態の斜視図である。
【図１１】  かまくらドーム屋根部を構築する始めの工程の斜視図である。
【図１２】  かまくらドーム屋根部を構成する一列目のアーチができた状態の斜視図である。
【図１３】  かまくらドーム屋根部が半分できた状態の斜視図である。
【図１４】  かまくらドーム屋根部が積み上がり仕上げ前の状態の斜視図である。
【符号の説明】
【００２９】１１        かまくら構築具（組立てた状態）
１１′      かまくら構築具（分解した状態）
１２        内周型板
１３        外周型板
１４        連結棒
１５        蝶ナット
１６        雪止板
１７、１７′連結孔
１８        ハンドル
１９        フック
２０        かまくら周壁部
２１        かまくらドーム屋根部
２２        雪ブロック
【図１】
2008025321.tif 000003
【図２】
2008025321.tif 000004
【図３】
2008025321.tif 000005
【図４】
2008025321.tif 000006
【図５】
2008025321.tif 000007
【図６】
2008025321.tif 000008
【図７】
2008025321.tif 000009
【図８】
2008025321.tif 000010
【図９】
2008025321.tif 000011
【図１０】
2008025321.tif 000012
【図１１】
2008025321.tif 000013
【図１２】
2008025321.tif 000014
【図１３】
2008025321.tif 000015
【図１４】
2008025321.tif 000016
【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
湾曲した内周型板（１２）と外周型板（１３）、その両者を並列に結合する連結棒（１４）、蝶ナット（１５）及び雪止板（１６）で構成されるかまくら構築具（１１）を用い、該構築具を雪上に少し差込み、該構築具の中に雪を投入しこれを押圧した後、該構築具を分解することで形成されるかまくら周壁部（２０）の一部と連なる位置に内周型板と外周型板をその湾曲に沿って移動させ、該周壁部の一部に接する側には雪止板を取付けず該構築具を組立て、該構築具の中に雪を投入しこれを押圧した後該構築具を分解する、この一連の作業を繰返しかまくら周壁部（２０）を構築する工程、及び該構築具を雪上に少し差込み、該構築具の中に雪を投入しこれを押圧した後、該構築具を分解することで形成される雪ブロック（２２）を、該周壁部の出入口の反対側に積む、これと製作方法を同じくする雪ブロックを成形し、該雪ブロックにもたせ掛けるように傾斜した角度で、幾列かのアーチ積みの雪ブロックの列でかまくらドーム屋根部（２１）を形成するように、出入口に正対する向きで該雪ブロックの湾曲面がドーム屋根の半球の円弧となるように、第一列から最終列まで各列のアーチの半径の大きさを段階的に変えて、該雪ブロックをアーチ状に積むことにより、かまくらドーム屋根部（２１）を構築する工程を特徴とするかまくら構築方法。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
湾曲した内周型板（１２）と外周型板（１３）、その両者を並列に結合する連結棒（１４）、蝶ナット（１５）及び雪止板（１６）で構成されるかまくら構築具（１１）を用い、該構築具を雪上に少し差込み、該構築具の中に雪を投入しこれを押圧した後、該構築具を分解することで形成されるかまくら周壁部（２０）の一部と連なる位置に内周型板と外周型板をその湾曲に沿って移動させ、該周壁部の一部に接する側には雪止板を取付けず該構築具を組立て、該構築具の中に雪を投入しこれを押圧した後該構築具を分解する、この一連の作業を繰返しかまくら周壁部（２０）を構築する工程、及び該構築具を雪上に少し差込み、該構築具の中に雪を投入しこれを押圧した後、該構築具を分解することで形成される雪ブロック（２２）を、該周壁部の出入口の反対側に積む、これと製作方法を同じくする雪ブロックを成形し、該雪ブロックにもたせ掛けるように傾斜した角度で、幾列かのアーチ積みの雪ブロックの列でかまくらドーム屋根部（２１）を形成するように、出入口に正対する向きで該雪ブロックの湾曲面がドーム屋根の半球の円弧となるように、第一列から最終列まで各列のアーチの半径の大きさを段階的に変えて、該雪ブロックをアーチ状に積むことにより、かまくらドーム屋根部（２１）を構築する工程を特徴とするかまくら構築方法。